(57)【要約】      （修正有）【課題】問題と解答を同一紙面に表示すると共に、バインダーで綴じ、綴じたままでどの位置からでも無作為に簡単に脱着することのできる暗記カード紙を提供する。【解決手段】カード用紙１の上下両基端に余白部２を形成し、その余白部に複数のパンチ穴３を明け、各パンチ穴とカード用紙の上下の基端縁辺に届く切込み４を設け、当該カード用紙の表裏面に余白部を除いて問・答の記載面Ｆを表示し、当該カード用紙の縦長の中間に二つ折り線６を表示し、上記記載面の境界に山折り線７を表示し、二つ折り線を山折りした後、これを内側になるように谷折りして両基端部の余白部を重ね合わせ、谷折りした縁辺が余白部に届かない長さに設定し、パンチ穴をバインダーで綴じた。【選択図】図１
2020082530.tif 000002
【特許請求の範囲】
【請求項１】
縦長のカード用紙（１）の上下方向の両基端に設定幅（ｗ１）で単一の帯状余白部（２）を形成し、その帯状余白部に複数のバインダー用パンチ穴（３）を横一列に明け、その各パンチ穴（３）とカード用紙（１）の上下の各縁辺（１１）に届く切込み（４）を設け、当該カード用紙（１）の帯状余白部（２）・（２）を除く表裏面に問題（ｍ１）と解答（ｋ１）及び問題（ｍ２）と解答（ｋ２）を表示する記載面（Ｆ「Ｆ１〜Ｆ４」）とし、各記載面（Ｆ１〜Ｆ４）の境界を示す切欠き部（１０′）・（１０′）をカード用紙（１）の両縁辺に設け、最上段の１段目に問題（ｍl）を書き込むか又は予め表示してある第１の問題記載面（Ｆ1）と、その次位の２段目に解答（ｋl）を書き込むか又は予め表示してある第1の解答記載面（Ｆ２）と、その３段目に問題（ｍ２）を書き込むか又は予め表示してある第２の問題記載面（Ｆ３）と、その最下位の４段目に解答（ｋ２）を書き込むか又は予め表示してある第２の解答記載面（Ｆ４）を、この順に表示して1セットとした暗記カード紙（Ｃ）とし、当該暗記カード紙（Ｃ）の縦長方向の中間の第１の解答記載面（Ｆ２）と第２の問題記載面（ｋ２）との境界を示す切欠き部（１０′）・（１０′）に沿って二つ折り、すなわち山折りし、且つ第１の問題記載面（Ｆ１）と第１の解答記載面（ｋ１）及び第２の問題記載面（Ｆ２）と第２の解答記載面（ｋ２）の各境界を示す左右の切欠き部（１０′）・（１０′）を結ぶ山折り線（７）に沿って山折りし、予め二つ折り線（６）に沿って山折りした個所を谷折りして上下部両基端部の帯状余白部（２）・（２）を重ね合わせ、谷折りした二つ折り線（６）の縁辺（６１）が帯状余白部（２）・（２）に届かない長さに設定し、複数のバインダー用パンチ穴（３）にバインダー（Ｂ）の開閉リング（Ｂ１）に切込み（４）を介して綴じて結束部（８）・（８）としたことを特徴とする暗記カード。
【請求項２】
縦長のカード用紙（１）の上下方向の一方の基端所定幅（ｗ１）・（ｗ２）で２個一対の帯状余白部（２）・（２′）を設け、当該帯状余白部の略中央に境界線（５）を設けると共に、その境界線（５）を挟んで対向する帯状余白部（２）・（２′）に複数のパンチ穴（３）を明け、その境界線（５）を挟んで対向するパンチ穴（３）・（３）同士を繋ぐ切込み（４）を設け、縦長のカード用紙（１）の他端辺には単一の帯状余白部（２）を設けた請求項１記載の暗記カード。
【請求項３】
縦長のカード用紙（１）の上下両方向の両基端に設定幅（ｗ１）・（ｗ２）で２個一対の帯状余白部（２）・（２′）を設け、当該帯状余白部（２）・（２′）の略中央に境界線（５）を設けると共に、その境界線（５）を挟んで対向する帯状余白部（２）・（２′）に複数のパンチ穴（３）を明け、その境界線（５）を挟んで対向するパンチ穴（３）・（３）同士を繋ぐ切込み（４）を設けた請求項１記載の暗記カード。
【請求項４】
横長のカード用紙（１）の左右方向の両基端に所定幅（ｗ１）の単一の帯状の余白部（２）・（２）を形成し、その帯状余白部に複数のバインダー用パンチ穴（３）を縦一列に明け、その各パンチ穴（３）とカード用紙（１）の左右の各縁辺（１１）に届く切込み（４）を設け、当該カード用紙（１）の表面又は表裏面に帯状の余白部（２）・（２）を除く左右方向に４つの記載面（Ｆ）を表示し、左端の１番目に問題（ｍl）を書き込むか又は予め表示してある第１の問題記載面（Ｆ1）と、その次位の２番目に解答（ｋl）を書き込むか又は予め表示してある第1の解答記載面（Ｆ２）と、その３番目に問題（ｍ２）を書き込むか又は予め表示してある第２の問題記載面（Ｆ３）と、その右端の４番目に解答（ｋ２）を書き込むか又は予め表示してある第２の解答記載面（Ｆ４）を、この順に表示して1セットとした暗記カード紙（Ｃ）とし、当該暗記カード紙（Ｃ）の横長方向の中間に垂直の二つ折り線（６）を表示すると共に第１の問題記載面（Ｆ１）と解答記載面（ｋ１）、及び第２の問題記載面（Ｆ３）と解答記載面（Ｆ４）の境界に山折り線（７）を表示し、二つ折り線（６）を山折りし、その山折りしてある二つ折り線（６）の部位を内側になるように谷折りして左右両基端部に設けた帯状の余白部（２）・（２）を重ね合わせ、谷折りした二つ折り線（６）の縁辺（６１）が帯状余白部（２）・（２）に届かない長さに設定し、複数のバインダー用パンチ穴（３）にバインダー（Ｂ）の開閉リング（Ｂ１）を通して結束部（８）・（８）としたことを特徴とする暗記カード。
【請求項５】
縦長のカード用紙（１）の上下方向の両基端に形成した単一の帯状余白部（２）の左右両側の隅角を斜めの切欠き部（１０）又は弧状部（１０″）に成形し、且つ二つ折り線（６）と山折り線（７）の延長線上の左右縁辺に切欠き部（１０′）を設けると共に、当該切欠き部の角部を円弧状に成形した請求項１記載の暗記カード。
【請求項６】
縦長のカード用紙（１）の上下方向の基端の一方に形成した余白部（２）・（２′）の略中央に設けた二つ折り線（５）の延長線上の左右縁辺に比較的大きいＶ字状の切欠き部（１０）又は小さいｖ字状の切欠き部（１０′）を設け、且つ他端辺に形成した単一の帯状余白部（２）の左右両側の隅角を斜めの切欠き部（１０）又は弧状部（１０″）に成形し、且つ二つ折り線（６）と山折り線（７）の延長線上の左右縁辺に切欠き部（１０′）を設けた請求項２記載の暗記カード。
【請求項７】
２枚一対の縦長のカード用紙（１）の上下方向の両基端に形成した帯状余白部（２）・（２′）の左右両側の境界線（５）の部位比較的大きな切欠き部（１０）を設け、且つ二つ折り線（６）と山折り線（７）の延長線上の左右縁辺に比較的小さい切欠き部（１０′）を設けた請求項３記載の暗記カード。
【請求項８】
２枚一対の縦長のカード用紙（１）・（１）を長手方向に一体形成し、その２枚一対のカード用紙（１）・（１）同士の境界線（６０）を挟んで形成した帯状余白部（２）・（２）に対向してあけたパンチ穴（３）・（３）同士を繋ぐに切込み（４）を入れた請求項１記載の暗記カード。
【請求項９】
縦長のカード用紙（１）を長手方向に２枚一対（１）・（１）を一体に作成し、その２枚一対のカード用紙同士（１）・（１）の上下両基端の帯状余白部（２）・（２）に対向してあけたパンチ穴（３）・（３）同士を繋ぐに切込み（４）を入れた請求項１〜請求項８いずれか記載の暗記カード紙（Ｃ）をバインダーノート（Ｎ）に綴じた暗記カード。
【請求項１０】
縦長のカード用紙（１）の上下方向の両基端に設定幅（ｗ１）で単一の帯状余白部（２）・（２′）を形成し、その一方又は両方の帯状余白部に粘着紙テープ又はラミネート紙（１３）を貼着して補強した請求項１記載の暗記カード。
【発明の詳細な説明】
【技術分野】
【０００１】
本発明は、暗記カード紙に関し、問題と解答を同一用紙の表裏面に表示すると共に、問題と解答を隣接して表示するようにし、表面の問題に対する解答を折った裏面に表示できるようにした暗記カードを書類用バインダーで綴じ、その暗記カードをバインダーで綴じたままでどの位置からでも無作為に簡単容易に脱着できるようにしたものである。
【背景技術】
【０００２】
暗記カードや情報カードと称されるものには、問題と解答を同一紙面上に表示できるものは見当たらない。また、問題と解答を同一紙面上に表示できる暗記カード及び情報カ一ド形式で暗記の繰り返しができる問題集や本も見当たらない。
【０００３】
そして、問題と解答が同一紙面上に表示される暗記カード及び情報カード形式になるメモ帳やノートも存在していない。また、問題と解答を何度も見比べ、ある程度覚えた後で、カード形式にして暗記を繰り返すというステップが無い為、通常の暗記カードや本やメモ帳やノートでは、覚えられないという人々が多数いるのが実状である。
【０００４】
さらに、カードには覚えやすいものと、覚えにくいものとがあり、覚えにくいものは、暗記の繰り返し頻度が多くなるように、カードの格納されている位置を変更する必要があるが、カードの脱着が容易で、ある程度の繰り返し脱着に耐えられるものが無いため、能率的に暗記ができないのが現状である。
【０００５】
一方、これらの暗記カードや情報カードを挟持具等の留め具で結束した場合、その中から１枚を取り出したり、綴じ込んだりする場合は、その留め具で結束してあった複数のカード全体を開放し、その中から目的のカードを取り出したり、しまい込んだりしていた。そのためカードの脱着操作は非常に面倒であった。そこで、上記の暗記カードや情報カードを複数枚束ねたものを簡単容易に取り出したりとじたり綴じたりできると、より便利である。
【先行技術文献】
【特許文献】
【０００６】
【特許文献１】特開２００７―１３６７５２号公報
【特許文献２】特開２００７―２８３７４２号公報
【発明の概要】
【発明が解決しようとする課題】
【０００７】
特許文献1のような暗記カードや情報カードは、書き写した問題を見ながらその
解答を書き写すことができない。そのため、今でも問題に対する解答を間違って書
き写すことが多々ある。
【０００８】
また、解答をなぞったり、問題と解答を同時に見ながら暗記したりするというステップがないため、即時に問題が表面で解答が裏面に位置するカードで、問題に挑戦という暗記方法しかない。そこで、実際に解答をなぞってみる。そして、ある程度、定着するまで、問題と解答を同一紙面上で見比べる。そして最終的にカード形式にして暗記を繰り返す、という一連のステップが、通常のカードや問題集にはないため、カードを作成しても、また、カード形式の問題集であっても覚えられず、カードでの暗記作業をしなくなる人々が多数いる。また、本や問題集には、解答をなぞったり、問題と解答を同時に見比べたりするステップはあるが、カード形式にして暗記を繰り返せるものがない。また、通常のノートやメモ帳にも同様のカード形式で暗記を繰り返せるものが存在しない。
【０００９】
さらに、通常の暗記カードや情報カードには、作成したカードを管理するものがない。そのため、作成したカードの知識定着度の把握及び管理が効率的にできない。また、基礎知識の定着には繰り返し暗記は必須で、その繰り返し暗記ができるような形式で指導者が学習者に配布するものはない。そのため、多くの学習者達は、配布された資料では、覚えられないというのが現状である。
【００１０】
特許文献２は、リファイル用紙の左右の端辺に沿って切り目付きのパンチ穴を開け、リング式のシステム手帳の金属製開閉リングが邪魔にならない位置で右利き女は左利きによって綴じる穴を使い分け、且つ綴じたリングを開くことなく脱着できるようにしたものである。しかしながら、このリファイル用紙は単に1枚の紙の脱着の仕方だけのものである。
【課題を解決するための手段】
【００１１】
本発明は、上記従来の公知の発明とは全く別の新規発明に係るものである。本発明の第１は、暗記カードにおいて、縦長のカード用紙の上下方向の両基端に設定幅で単一の帯状余白部を形成し、その帯状余白部に複数のバインダー用パンチ穴を横一列に明け、その各パンチ穴とカード用紙の上下の各縁辺に届く切込みを設け、当該カード用紙の帯状余白部を除く表裏面に問題と解答及び問題と解答を表示する記載面とし、各記載面の境界を示す切欠き部をカード用紙の両縁辺に設け、最上位の１段目に問題を書き込むか又は予め表示してある第１の問題記載面と、その次位の２段目に解答を書き込むか又は予め表示してある第1の解答記載面と、その３段目に問題を書き込むか又は予め表示してある第２の問題記載面と、その最下段の４段目に解答を書き込むか又は予め表示してある第２の解答記載面を、この順に表示して1セットとした暗記カード紙とし、当該暗記カード紙の縦長方向の中間の第１の解答記載面と第２の問題記載面との境界を示す切欠き部に沿って二つ折り、すなわち山折りし、且つ第１の問題記載面と第１の解答記載面及び第２の問題記載面と第２の解答記載面の各境界を示す左右の切欠き部を結ぶ山折り線に沿って山折りし、予め二つ折り線に沿って山折りした個所を谷折りして上下両基端部の余白部を重ね合わせ、谷折りした二つ折り線の縁辺が帯状余白部に届かない長さに設定し、複数のバインダー用パンチ穴にバインダーの開閉リングに切込みを介して綴じて結束部としたものである。
【００１２】
本発明の第２は、第１の発明に係る暗記カードにおいて、縦長のカード用紙の上下方向の一方の基端所定幅で２個一対の帯状余白部を設け、当該帯状余白部の略中央に境界線を設けると共に、その境界線を挟んで対向する帯状余白部に複数のパンチ穴を明け、その境界線を挟んで対向するパンチ穴同士を繋ぐ切込みを設け、縦長のカード用紙の他端辺には単一の帯状余白部を設けたものである。
【００１３】
本発明の第３は、第１の発明に係る暗記カードにおいて、縦長のカード用紙の上下両方向の両基端に設定幅で２個一対の帯状余白部を設け、当該帯状余白部の略中央に境界線を設けると共に、その境界線を挟んで対向する帯状余白部に複数のパンチ穴を明け、その境界線を挟んで対向するパンチ穴同士を繋ぐ切込みを設けたものである。
【００１４】
本発明の第４は、暗記カードにおいて、横長のカード用紙の左右方向の両基端に所定幅の単一の帯状の余白部を形成し、その帯状の余白部に複数のバインダー用パンチ穴を縦一列に明け、その各パンチ穴とカード用紙の左右の各縁辺に届く切り込みを設け、当該カード用紙の表面又は表裏面に帯状の余白部を除く左右方向に４つの記載面を表示し、左端の１番目に問題を書き込むか又は予め表示してある第１の問題記載面と、その次位の２番目に解答を書き込むか又は予め表示してある第1の解答記載面と、その３番目に問題を書き込むか又は予め表示してある第２の問題記載面と、その右端の４番目に解答を書き込むか又は予め表示してある第２の解答記載面を、この順に表示して1セットとした暗記カード紙とし、当該暗記カード紙の横長方向の中間に垂直の二つ折り線を表示すると共に第１の問題記載面と解答記載面、及び第２の問題記載面と解答記載面の境界に山折り線を表示し、二つ折り線を山折りし、その山折りしてある二つ折り線の部位を内側になるように谷折りして左右両基端部に設けた帯状の余白部を重ね合わせ、谷折りした二つ折り線の縁辺が帯状の余白部に届かない長さに設定し、複数のバインダー用パンチ穴にバインダーの開閉リングを通して結束部としたものである。
【００１５】
本発明の第５は、第１の発明に係る暗記カードにおいて、縦長のカード用紙の上下方向の両基端に形成した単一の帯状余白部の左右両側の隅角を斜めの切欠き部又は弧状部に成形し、且つ二つ折り線と山折り線の延長線上の左右縁辺にｖ字状の切欠き部を設けると共に、当該ｖ字状の角部を円弧状に成形したものである。
【００１６】
本発明の第６は、第２の発明に係る暗記カードにおいて、縦長のカード用紙の上下方向の基端の一方に形成した余白部の略中央に設けた二つ折り線の延長線上の左右縁辺に比較的大きいＶ字状の切欠き部又は小さいｖ字状の切欠き部を設け、且つ他端辺に形成した単一の余白部の左右両側の隅角を斜めの切欠き部又は弧状部に成形し、且つ二つ折り線と山折り線の延長線上の左右縁辺に比較的小さいｖ字状の切欠き部を設けたものである。
【００１７】
本発明の第７は、第３の発明に係る暗記カードにおいて、縦長のカード用紙の上下方向の両基端に形成した２個一対の帯状余白部の左右両側の境界線の部位比較的大きなＶ字状の切欠き部を設け、且つ二つ折り線と山折り線の延長線上の左右縁辺に比較的小さいｖ字状の切欠き部を設けたものである。
【００１８】
本発明の第８は、第１の発明に係る暗記カードにおいて、縦長のカード用紙を長手方向に２個一対を一体に作成し、その２個一対のカード用紙同士の境界線を挟んで形成した帯状の余白部に対向してあけたパンチ穴同士を繋ぐに切込みを入れたものである。
【００１９】
本発明の第９は、第１の発明に係る暗記カードにおいて、縦長のカード用紙を長手方向に２個一対を一体に作成し、その２個一対のカード用紙同士の上下両基端の余白部に対向してあけたパンチ穴同士を繋ぐに切込みを入れた請求項１〜請求項８記載の暗記カード紙をバインダーノートに綴じたものである。
【００２０】
本発明の台１０は、第１の発明に係る暗記カードにおいて、縦長のカード用紙の上下方向の両基端に設定幅で単一の帯状余白部を形成し、その一方の帯状余白部に粘着紙テープ又はラミネート紙等を貼着して補強し、複数のバインダー用パンチ穴を横一列に明け、その各パンチ穴とカード用紙の上下の各縁辺に届く切込みを設けたものである。
【発明の効果】
【００２１】
本発明は、上記の構成であるから、次のような作用効果がある。
第1に、請求項1の発明にあっては、図1の形式を用いて両面印刷された暗記カードで、結束部が上下の２か所で、シンプルな構造であるにもかかわらず、余白部のパンチ穴と用紙端部に届く切込みをバインダーリングに押し付けるだけで書類用バインダーに容易に暗記カード紙の脱着ができる。この場合、通常のコピー用紙でも良いが、コピー用紙より少し厚めの用紙を用いると、バインダーリングと結合するパンチ穴の縁辺の破損も少ない。また、用紙をリングに入れたときの厚みが、結束部となる余白部が２枚であるため、余白部が重なり合うと問題記載面と解答記載面が４枚になる問答部の半分ですむ。さらに、結束部が３枚、４枚となる用紙より問題記載面と解答記載面の表示スペースがより広くなる上、作成コストが最も安価になるという利点がある。
【００２２】
また、印刷した図1のカード用紙、又は手書きした図１のカード用紙を２枚重ねたものをカード形式に折り畳み、暗記カードとして用いると、使い勝手はあまり変わらないが、脱着時の縁部の破損がより少なくなると共に、通常の繰り返し暗記だけでなく、重なり合って見えないという不都合が、既に覚えたカードや絶対に忘れてはいけないカード等の透視暗記確認に応用できるという利点にもなる。
【００２３】
第２に、請求項２の発明にあっては、問題枠や解答枠等が両面印刷された暗記カード紙で結束部が３個所で、上半分に２個所の余白部のカード用紙を、下半分に１か所の余白部とからなり、請求項１の結束部分より用紙１枚分だけ強度が強くなる効果がある。
【００２４】
第３に、請求項３の発明にあっては、両面印刷された暗記カード紙で結束部となる余白部が上部基端の２個所、下部基端で２個所の合計で４か所になり、これを暗記カードで、これを余白部のパンチ穴を介してバインダーリングに入れたときや用紙を折り畳んだときの厚みは、結束部となる余白部も４枚、重なり合う問題記載面と解答記載面も４枚となり、まさに、通常の１枚の暗記カードと同じ感覚で扱える暗記カードが得られる。そして、カード用紙の脱着時の結束部の破損には最も強い構造でもある。
【００２５】
第４に、カード用紙の問題と解答を表示する記載面の両側に比較的小さいｖ字等の切欠き部を設けると、四角い問題枠と解答枠の表示や、二つ折り線や山折り線を示す境界線の表示が不要となる。これによって、問題や解答の記載面のスペースがより広く使えると共に、両面に印刷する手間やコストの低減が図れる。
【００２６】
第５に、縦長又は横長のカード用紙の基端部の帯状余白部の両側角部を斜めに、又は突円弧状に切り欠くことによって、バインダーのリングに対する着脱がスムーズ行え、且つ着脱の繰り返しによる余白部の端が破損することがなくなり、通常のコピー用紙程度の紙厚でもバインダー綴り用暗記カード紙として活用できる。
【００２７】
第６に、縦長のカード用紙を横向きにした暗記カードであっても、その構成や使い方は縦長の暗記カードと同じ作用効果が得られる。
【００２８】
第７に、縦長又は横長のカード用紙の基端に２個一対の余白部を設けてあるものは、その対向する余白部のパンチ穴を切込みで繋いであるが、最も基端の外側の余白部のパンチ穴にはその余白部の基端縁に届く切込みは設けてないので、当該上端側の余白部をバインダーにそのリングを開いて装着したときは、通常のバインダーに綴じるノート用紙のように、バインダーリングを開かないと外れないので、当該暗記カード紙を保存管理しておくのに便利である。
【００２９】
第８に、暗記カード紙は、その切込み付きパンチ穴を利用してバインダーノートに脱着することもできるから、使い終わった暗記カードは、カードのサイズや色に関係なく、市販のリング式ノートに素早く取り付け、取り外しができ、暗記カードを用いた学習効率の向上が図れる。
【００３０】
第９に、通常はＡ４判サイズのコピー用紙を横幅方向に等分の２分割に裁断して長さは一定のカード用紙とすることができる。また、Ａ３判サイズのコピー用紙を横幅方向に等分に４分割してカード用紙を縦方向に２枚一対に表示し、その２個一対のカード用紙の境界線を挟んで対向する余白部と各カード用紙の上下基端の余白部を重ねると４枚になり、より強度を増して、バインダーへの脱着の繰り返しに十分耐えられる効果がある。
【００３１】
第１０に、カード用紙の記載面と解答記載面の境界線の延長上に両側縁辺に比較的小さいｖ字状の切欠き部によって、当該境界線に沿って山折りや谷折りするときの目印になり折りやすくなる効果がある。
【００３２】
第１１に、暗記カード紙の余白部の一方又は両方に粘着テープ紙又はラミネートン紙を貼着したものにあっては、その余白部が上部になるから、コピー用紙のような比較的薄手のカード用紙であってもバインダーに着脱を繰り返しても切込みやパンチ穴が破損する度合いが少なくて済む。
【図面の簡単な説明】
【００３３】
【図１】本発明に係る縦長の暗記カード紙の平面図である。
【図２】図１の暗記カード紙を長さ方向の中央から二つ折りした平面図である。
【図３】図１の暗記カード紙を四つ折りした平面図である。
【図４】図１の暗記力―ドの一端の余白部をバインダーで綴じた斜視図である。
【図５】図４の暗記カードを長さ方向の中央から二つ折りした斜視図である。
【図６】図５の問題記載面と解答記載面の境界線を山折りしている状態の斜視図である。
【図７】図６の二つ折り線を谷折りしている状態の斜視図である。
【図８】図７の二つ折り線を深く谷折りした状態の斜視図である。
【図９】図５の二つ折りした暗記カードに表紙を付けた斜視図である。
【図１０】図８の二つ折り線を深く谷折りした暗記カードに表紙を付けた斜視図である。
【図１１】図1の縦長の暗記カード紙の上下余白部の角部を円弧状に形成し、問題記載面と問題記載面の境界線の延長線上に切込みを入れた平面図である。
【図１２】図１１の暗記カード紙を四つ折りした状態の平面図である。
【図１３】図１１の暗記カード紙における余白部の角部を円弧状にし、問題枠と解答枠の境界線の延長線上の両側縁辺に切欠き部を設けた平面図である。
【図１４】図１３のカード用紙を四つ折りした状態の平面図である。
【図１５】図１の他の実施例を示す平面図である。
【図１６】図１５のカード用紙を二つ折りした状態の平面図である。
【図１７】図１６の拡大側面図である。
【図１８】図１５のカード用紙の他の例を示す平面図である。
【図１９】図１５のさらに別の実施例を示すカード用紙の平面図である。
【図２０】図１のさらに別の実施例を示すカード用紙の平面図である。
【図２１】図１のさらに別の実施例を示すカード用紙の平面図である。
【図２２】図２１のカードを二つ折りした状態の斜視図である。
【図２３】図２２のカード用紙の問題枠を表面になるように畳んだ平面図である。
【図２４】図２３のカード用紙の余白部を四つ折りした状態の斜視図である。
【図２５】図２４のカード用紙を四つ折りした状態の拡大側面図である。
【図２６】図２４のカード用紙の余白部を二つ折りした側面図である。
【図２７】図２１の余白部を切欠いたさらに別の実施例を示す平面図である。
【図２８】図２７のカード用紙を四つ折りした平面図である。
【図２９】図１のカード用紙の記載面に問題枠及び解答枠を表示した平面図である。
【図３０】図２９のカード用紙を二つ折りした状態の平面図である。
【図３１】図３０のカード用紙を四つ折りした状態の平面図である。
【図３２】図１の縦長式の横向き式にしたカード用紙の記載面に問題枠及び解答枠を表示した平面図である。
【図３３】図３２の他の例を示す平面図である。
【図３４】図１の問題記載面と解答記載面に問題枠と解答枠を表示した縦長のカード用紙を２枚一対に表示した中央に水平の二つ折り線を表示し、その線を挟んで対向する切込み付きパンチ穴を余白部に形成した斜面図である。
【図３５】図１の縦長のカード用紙の一方又は両方の帯状余白部に貼着した粘着紙テープ又はラミネート紙等で補強した暗記カード紙である。
【図３６】図２９の縦長のカード用紙の一方又は両方の帯状余白部に貼着した粘着紙テープ又はラミネート紙等で補強した暗記カード紙である。
【図３７】暗記カード紙をバインダーノートに装着した状態の斜面図である。
【図３８】書類用バインダーの斜視図である。
【発明を実施するための形態】
【００３４】
図１〜図１０及び図１１〜１４は、暗記カード紙において、縦長のカード用紙の上下方向の両基端に所定幅の単一の余白部を形成し、その余白部に複数のバインダー用パンチ穴を横一列に明け、その各パンチ穴とカード用紙の上下の各縁辺に届く切り込みを設ける。
【００３５】
上記カード用紙の表裏面に余白部を除く上下方向に４つの記載面を表示し、最上位の段に問題を書き込むか又は予め表示してある第１の問題記載面又は問題枠と、その次位の段に解答を書き込むか又は予め表示してある第1の解答記載面又は解答枠と、その次の段に問題を書き込むか又は予め表示してある第２の問題記載面又は問題枠と、その最下段に解答を書き込むか又は予め表示してある第２の解答記載面又は解答記載枠を、この順に表示して１セットとした暗記カード紙とする。
【００３６】
また、上記図１〜図１０において、暗記カード紙の縦長方向の中間に水平の二つ折り線を表示すると共に第１の問題記載面と解答記載面、及び第２の問題記載面と解答記載面の境界に山折り線を表示し、二つ折り線を山折りする。その山折りしてある二つ折り線の部位を内側になるように谷折りして上下両基端部に設けた帯状余白部を２枚に重ね合わせる。そして、谷折りした二つ折り線の縁辺が余白部に届かない長さに設定し、複数のバインダー用パンチ穴にバインダーの開閉リングを通して結束部としたものである。
【００３７】
図１５は、図１の暗記カード紙において、縦長のカード用紙の上方向の基端に設けた余白部に二つ折り線を表示してさらにもう１個のパンチ穴付きの余白部を設け、その二つ折り線を挟んで対向するパンチ穴同士を繋ぐ切り込みを設けたものである。そして、このカード用紙をバインダーに装着するときは、余白部を３枚に重ねた状態にしてある。
【００３８】
図２０は、図１の暗記カード紙において、縦長のカード用紙の上下方向の両基端に設けた余白部に二つ折り線を表示してさらにもう１個のパンチ穴付きの余白部を設け、その二つ折り線を挟んで対向するパンチ穴同士を繋ぐ切り込みを設けたものである。そして、このカード用紙をバインダーに装着するときは、余白部を４枚に重ねた状態にしてある。
【００３９】
図３２及び図３３は、図１の暗記カード紙において、縦長のカード用紙を横向きにして、その横長のカード用紙の左右方向の両基端に単一の余白部を形成し、その余白部に複数のバインダー用パンチ穴を縦一列に明け、その各パンチ穴とカード用紙の左右の各縁辺に届く切り込みを設け、あとは、図１と同じ構成を横向きに合うように表示してある。
【００４０】
図３４は、図１のカード用紙における問題記載面と解答記載面に問題枠と解答枠を表示した縦長のカード用紙を２枚一対に表示し、その中央に水平の二つ折り線を表示し、その線を挟んで対向する切込み付きパンチ穴を余白部に形成してある。
【００４１】
図３５は、図１の暗記カード紙の帯状余白部に粘着紙テープ又はラミネート紙を貼着して補強してある。
【００４２】
図３６は、図２９の暗記カード紙の帯状余白部に粘着紙テープ又はラミネート紙を貼着して補強してある。
【実施例】
【００４３】
本発明の実施例を図面に沿って説明する。
図１〜図１４は、第１の実施例を示す。１は縦長のカード用紙であり、その長さ及び横幅は任意であるが、図示例はＡ４判サイズの用紙を用い、横幅を等分に２分割し、全長Ｌ＝２９７ｍｍ、横幅Ｗ＝１０５ｍｍに設定してある。２はカード用紙１の上下の両基端に形成した余白部であり、図示例は幅ｗ１＝２０ｍｍに設定してある。３は余白部２に横１列に明けたバインダー用のパンチ穴、４は各パンチ穴３とカード用紙１の上下基端の縁辺１１に届く線条の切込みである。
【００４４】
図中のＦは、カード用紙１の表裏面に帯状余白部２・２を除く上下方向に表示した４つの枠Ｆ１〜Ｆ４であり、最上段の１段目に問題ｍlを書き込むか又は予め表示してある第１の問題枠Ｆ１と、その次位の２段目の解答枠Ｆ２に解答ｋ１を書き込むか又は予め表示してある。そして、次の３段目に問題ｍ２を書き込むか又は予め表示してある第２の問題枠Ｆ３と、その最下段の４段目に解答ｋ２を書き込むか又は予め表示してある第２の解答枠Ｆ４を、この順に表示して1セットとした暗記カード紙Ｃとしてある。
【００４５】
図中Ｌ′はカード用紙１の全長Ｌの２分の１の長さ、Ｌ″はカード用紙１の全長から上下の帯状余白部２・２の幅ｗ１・ｗ１を除いた問題枠と解答枠の長さを示す。この場合、上位の問題枠Ｆ１の長さＬ″１と、次位の解答枠Ｆ２の長さＬ″２の長さを下位の問題枠Ｆ３の長さＬ″３と、次位の解答枠Ｆ４の長さＬ″４より少し短く設定しておくと折り畳んだときに上側の部分Ｌ１′が下側の部分Ｌ２′より少し短くなるため、上側の部分が取り出し易くなる。
【００４６】
６は、カード紙Ｃの縦長方向の中間において水平に表示した二つ折り線であり、山折りすることと、谷折りすることの二つの役割を有している。７は、山折り線であるが、図１〜図１０及び図３４図にあっては、第１の問題ｍ１と解答ｋ１２の境界、及び第２の問題ｍ３と解答ｍ４の境界に仮想の鎖線を表示してあるが、実際には線はなく、山折りした折り線のみである。また、図１１〜図３３にあっては、第１の問題枠Ｆ１′と解答枠Ｆ２′の境界、及び第２の問題枠Ｆ３′と解答枠Ｆ４′の境界に実線で表示した山折り線である。
【００４７】
図４〜図１０において、Ｂは書類用バインダーであり、複数のリング体からなり、その材質はプラスチック又は金属等があり各リング体が開閉するものと非開閉式のものとがある。開閉式のものは図３６に示す。また、その材質はプラスチック製のもののほか金属製のものを用いることも可能である。
【００４８】
図９において、９は暗記カード紙Ｃを書類用バインダーＢで綴じた複数枚の暗記カードを保護するための表及び裏の表紙であり、カード用紙１と同様に上方の基端に複数のパンチ穴と線状の切込みが設けられている。
【００４９】
図１１及び図１２において、また、図１１〜１４において図１３及び図１４において、１０はカード用紙１の上下基端に設けた余白部２・２の角部を円弧状に切落とした切欠き部である。１０′はカード用紙１の二つ折り線６及び山折り線７の延長線上の両側の縁辺に設けた横向きの略ｖ字形の比較的小さい切欠き部である。１１はカード用紙１の上下基端に設けた余白部２・２の角部を斜めに切除した切欠き部である。
【００５０】
図１５及び図１９において、２′はカード用紙１の上部における余白部２と一体にさらにもう１個設置の幅ｗ″（２０ｍｍ以下）で設けたパンチ穴３付きの余白部であり、両余白部２・２′の境界に二つ折り線５を表示し、当該境界線を挟んで対向するパンチ穴３・３を線条の切込み４で繋いである。図１８において、１０は上記余白部２′の基端の角部を円弧状に切除した切欠き部である。１０′はカード用紙１の二つ折り線６及び山折り線７の延長線上の両側の縁辺に設けた横向きの略ｖ字形の比較的小さい切欠き部である。図１９、図２７，図２８において、１２は上部基端の２個の帯状余白部２・２′を比較的大きい横向きのｖ字形に切除した切欠き部である。この切欠き部１２は基端側の余白部２′を折り重ねると、斜めに切欠いた状態になる。この場合、図１１〜図１３、図２１〜図２４、図３２、、図３３などにおいて、比較的小さいとは、余白部２・２′の横向きｖ字形切欠き部に対しての意味である。また、比較的大きいとは、カード用紙１の二つ折り線６及び山折り線７の左右両側縁辺に設けたｖ字形に対しての意味である。
【００５１】
図２０〜図２８は、カード用紙１の上下基端において、余白部２にさらにもう１個のパンチ穴付きの余白部２′を設置の幅ｗ２（２０ｍｍ以下）で一体的に設けたものであり、両余白部２・２′の境界に二つ折り線５を表示し、当該境界線を挟んで対向するパンチ穴３・３を線条の切込み４で繋いである。
【００５２】
図２１、図２２、図２３、図２４において、１０″はカード用紙１の上下基端の２個所の余白部２・２′の境界線の両側縁辺に切除した比較的小さい横向きのｖ字形の切欠き部である。１１はカード用紙１の上下における余白部２・２′の個所を横向きのｖ字形に切除した比較的大きい切欠き部である。
【００５３】
図３２及び図３３は図１の縦長のカード用紙１を横長に向けて、横長のカード用紙の左右方向の両基端に単一の余白部２・２を形成し、その余白部に複数のバインダー用パンチ穴３を縦一列に明け、その各パンチ穴３とカード用紙１の左右の各縁辺１１に届く線状の切込み４を設け、あとは、図１と同じ構成を横向きに適合するように表示してある。
【００５４】
図３４は、縦長のカード用紙１を２枚一対に表示した中央に水平の二つ折り線６０を表示し、その線６０を挟んで対向する線状の切込み４付きパンチ穴３・３を余白部に形成した斜面図である。図３５は、カード用紙をバインダーノートＮの書類用バインダーＢの開閉リングＢ１に暗記カード紙Ｃの余白部２のパンチ穴を切込み４を介して装着した状態の斜面図である。
【００５５】
［具体的な使用例１］
次に、本発明に係る暗記カード紙使い方図面に即して説明する。
図１は暗記カード紙Ｃであり、縦長で無地のカード用紙１に上から第１の問題ｍ１と第１の解答ｋ１、第２の問題ｍ２と第２の解答ｋ２の順で表示される４つの四角い枠Ｆ（Ｆ１〜Ｆ４）で１枚となるもので、第１の問題枠Ｆ１に問題ｍ１を書き込むか、又はあらかじめ印刷等で表示し、その下の第１の解答枠Ｆ２に第１の解答ｋ１を書き込むか、又はあらかじめ印刷等で表示する。その下に第２の問題枠Ｆ３に第２の問題ｍ３を書き込むか、又はあらかじめ印刷等で表示し、その下に第２の解答枠Ｆ４に第２の解答ｋ２を書き込むか、又はあらかじめ印刷等で表示した状態を示す。
【００５６】
図１〜図３は、縦長のカード用紙１の４枠の最上位に問題ｍ１の問題記載面Ｆ１を、その下側に解答ｋ１の解答記載面Ｆ２、その下の問題Ｆ３の問題記載面Ｆ３、その下側に解答ｋ２の解答記載面Ｆ４の順に問題２題と解答２題の一組として表示してある。
【００５７】
図１１〜図１４は、縦長のカード用紙１の４枠の最上段に問題ｍ１の問題記載面に問題枠Ｆ１′を、その下側に解答ｋ１の解答記載面に解答枠Ｆ２′、その下の問題ｍ２の問題記載面に問題枠Ｆ３′、その下側に解答ｋ２の解答記載面に解答枠Ｆ４′の順に問題２題と解答２題の一組として表示してある。
【００５８】
上記図１〜図３のカード用紙１は、問題記載面Ｆ１と解答記載面２、問題記載面３と解答記載面Ｆ４の境界に仮想の鎖線７・７を表示し、且つ解答記載面Ｆ２と問題枠Ｆ３の境界に二つ折り線６を表示してある。
【００５９】
また、上記図１１〜図１４のカード用紙１は、問題枠Ｆ１′と解答枠Ｆ２′、問題枠Ｆ３′と解答枠Ｆ４′の境界に山折り線７・７を表示し、且つ解答枠Ｆ２′と問題枠Ｆ３の境界に二つ折り線６を表示してある。
【００６０】
図４〜図８は、上記図１〜図３のカード用紙１をパンチ穴３と切込み４を介してバインダーＢのリングＢ１に綴じたものである。
【００６１】
図９と図１０はカード用紙束の表裏面をカバーする表紙９・９をバインダーＢに綴じたものである。
【００６２】
上記図１、図４、図１１、図１３のカード用紙１の二つ折り線６を山折りして二つ折りに折り畳む（図２、図５、図９、図１６、図２２）。そして、カード用紙１の山折り線７・７を山折りしておき、先に山折りしてある二つ折り線６の部分を谷折りして４つに折り畳む（図３、図８、図１０、図１２、図１４、図２３、図２４）。各折り線６、７．７はその延長線上の両側の縁辺に比較的小さい横向きのｖ字形の切欠き１０′・１０′があるため、折り目を付ける目印が明確になって正確に折り畳むことができる。
【００６３】
図１５及び図２０と図２１において、カード用紙１の上部基端（図２０．図２１にあっては、上部基端と下部基端）に２個一対に設けた余白部２・２′は、その上端側（図２０．図２１にあっては、上端側と下端側）の余白部２′を境界線５から二つ折りに折り畳み、カード用紙を二つ折りしてバインダーＢにパンチ穴３と切込み４を介して取付ける。図１８及び図２１の各余白部２・２′の境界線５は、その延長線上の両側の縁辺に比較的小さい横向きのｖ字形の切欠き１０″・１０″があるため、折り目を付ける目印が明確になって正確に折り畳むことができる。また、図１９及び図２７の各余白部２・２′の境界線５は、その延長線上の両側の縁辺に比較的大きい横向きのｖ字形の切欠き１２・１２があるため、折り目を付ける目印が明確になって正確に折り畳むことができる。
【００６４】
図３２及び図３３は、図１のような縦長のカード用紙１を横長のカード用紙として横向きにし、その左右両基端に余白部２・２を形成し、これにパンチ穴３と切込み４を入れてあり、その折り畳み方やバインダーＢへの取り付け方は縦長のカード用紙１のそれと同様である。
【００６５】
図３４は、図１の縦長のカード用紙１を縦長方向に２枚一対に１枚の用紙で連続して設けたカード紙Ｃである。
【００６６】
図３５は、図１の縦長のカード用紙１の一方又は両方の帯状余白部２・２に貼着した粘着紙テープ又はラミネート紙１３等で補強したカードＣである。
【００６７】
図３６は、図２９の縦長のカード用紙１の一方又は両方の帯状余白部２・２に貼着した粘着紙テープ又はラミネート紙１３等で補強したカードＣである。
【００６８】
図３７は、図１のような縦長のカード用紙１を１枚の用紙で長手方向に２連にしたものであり、その２連の境に境界線６０を表示し、当該境界線を挟んで複数のパンチ穴３を対向して明け、対向する穴３・３同士を線条切込み４で繋ぐ。その境界線６０から二つに折ってバインダーＢで綴じ、あとは図１〜図１０と同じ要領で４つに折り畳んだり二つ折りに引き戻したりする。
【００６９】
図３８は、本発明に係る暗記カードに用いるバインダーＢであり、暗記カード紙Ｃの横幅Ｗが例えば４判サイズの半分の暗記カード紙Ｃや３分の１の暗記カード紙Ｃ′等サイズが異なるものを問わず、パンチ穴３がノートＮに用いるバインダーリングＢ１に適合すれば、線状の切込み４を介して容易迅速に着脱できるようになっている。
【産業上の利用可能性】
【００７０】
本発明に係る暗記カード紙及び暗記カードは、問題と解答を同一紙面上に表示できるカードであるため、問題と解答を見比べて覚える、カード形式にして記憶として定着させる、覚えたカードを管理用バインダーに取り付け、カードの保管や定着度把握という、一連の段階的な学習とその管理が容易にできるようになった。
【００７１】
また、メモ帳のように素早くカード用紙を取り出せるだけでなく、迅速にバインダーに取り付けられる機能は、暗記するカードの位置をサッと変え、覚える順番を容易に変えることができるため、より効率的な知識習得学習ができるようになる。
【００７２】
また、スマートフォン等のカメラを用いて、問題と解答を同一紙面上に表示したカードの写真を作成すれば、スマートフォン等の画面上でもカードの暗記確認ができるので、学習の知識習得に用いられるだけでなく、各種の資格取得試験や生涯学習等あらゆる学習に使用できるようになる。
【００７３】
しかも、用紙やカードをサッカーボールや野球のボール等、その他の色々な形状にも加工できるようになったので、楽しみながらの学習もできるようになる。
【００７４】
さらに、暗記カードをノートやメモ帳として用いれば、書き込む面積が約４倍に広がるノートやメモ帳としても利用することが可能である。
【００７５】
本発明は、暗記カードのほか、いわゆる京大式の情報カードやメモ用紙等の各種用紙束を中折り式に折り畳んでバインダーに綴じるものに使用することができ、用途の拡大が図れる。
【符号の説明】
【００７６】
１…カード用紙
１１…カード用紙の上下基端辺
２・２′…余白部
３…パンチ穴
４…線条の切込み
５…境界線
６…二つ折り線
６１…二つ折り線の端縁辺
７…山折り線
８…結束部
９…表紙
１０…円弧状切欠き部
１０′…比較的小さいｖ字形切欠き部
１０″…比較的小さいｖ字形切欠き部
１１…余白部における角部の円弧状切欠き部
１２…比較的大きいｖ字形切欠き部
１３…帯状余白部に貼着した粘着紙又はラミネート紙
６０…２連の縦長カード用紙の境界線
Ｂ…リング式バインダー
Ｂ１…バインダーリング
Ｃ…暗記カード紙
Ｆ…４つの記載面
Ｆ１、Ｆ３…問題記載面
Ｆ１′、Ｆ３′…問題枠
ｍ１、ｍ２…問題
Ｆ２、Ｆ４…解答記載面
Ｆ２′、Ｆ４′…解答枠
ｋ１、ｋ２…解答
Ｌ…縦長カード用紙の全長寸法
Ｌ′…カード用紙の２分の１の縦寸法
Ｌ″…カード用紙の問題枠と解答枠の縦寸法
Ｎ…バインダーノート
Ｗ…カード用紙の横幅寸法
ｗ１・ｗ２…余白部の幅寸法
【図１】
2020082530.tif 000003
【図２】
2020082530.tif 000004
【図３】
2020082530.tif 000005
【図４】
2020082530.tif 000006
【図５】
2020082530.tif 000007
【図６】
2020082530.tif 000008
【図７】
2020082530.tif 000009
【図８】
2020082530.tif 000010
【図９】
2020082530.tif 000011
【図１０】
2020082530.tif 000012
【図１１】
2020082530.tif 000013
【図１２】
2020082530.tif 000014
【図１３】
2020082530.tif 000015
【図１４】
2020082530.tif 000016
【図１５】
2020082530.tif 000017
【図１６】
2020082530.tif 000018
【図１７】
2020082530.tif 000019
【図１８】
2020082530.tif 000020
【図１９】
2020082530.tif 000021
【図２０】
2020082530.tif 000022
【図２１】
2020082530.tif 000023
【図２２】
2020082530.tif 000024
【図２３】
2020082530.tif 000025
【図２４】
2020082530.tif 000026
【図２５】
2020082530.tif 000027
【図２６】
2020082530.tif 000028
【図２７】
2020082530.tif 000029
【図２８】
2020082530.tif 000030
【図２９】
2020082530.tif 000031
【図３０】
2020082530.tif 000032
【図３１】
2020082530.tif 000033
【図３２】
2020082530.tif 000034
【図３３】
2020082530.tif 000035
【図３４】
2020082530.tif 000036
【図３５】
2020082530.tif 000037
【図３６】
2020082530.tif 000038
【図３７】
2020082530.tif 000039
【図３８】
2020082530.tif 000040
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
縦長のカード用紙（１）の上下方向の両基端に設定幅（ｗ１）で単一の帯状余白部（２）を形成し、その帯状余白部に複数のバインダー用パンチ穴（３）を横一列に明け、その各パンチ穴（３）とカード用紙（１）の上下の各縁辺（１１）に届く切込み（４）を設け、当該カード用紙（１）の帯状余白部（２）・（２）を除く表裏面に問題（ｍ１）と解答（ｋ１）及び問題（ｍ２）と解答（ｋ２）を表示する記載面（Ｆ「Ｆ１〜Ｆ４」）とし、各記載面（Ｆ１〜Ｆ４）の境界を示す切欠き部（１０′）・（１０′）をカード用紙（１）の両縁辺に設け、最上段の１段目に問題（ｍl）を書き込むか又は予め表示してある第１の問題記載面（Ｆ1）と、その次位の２段目に解答（ｋl）を書き込むか又は予め表示してある第1の解答記載面（Ｆ２）と、その３段目に問題（ｍ２）を書き込むか又は予め表示してある第２の問題記載面（Ｆ３）と、その最下位の４段目に解答（ｋ２）を書き込むか又は予め表示してある第２の解答記載面（Ｆ４）を、この順に表示して1セットとした暗記カード紙（Ｃ）とし、当該暗記カード紙（Ｃ）の縦長方向の中間の第１の解答記載面（Ｆ２）と第２の問題記載面（ｋ２）との境界を示す切欠き部（１０′）・（１０′）に沿って二つ折り、すなわち山折りし、且つ第１の問題記載面（Ｆ１）と第１の解答記載面（ｋ１）及び第２の問題記載面（Ｆ２）と第２の解答記載面（ｋ２）の各境界を示す左右の切欠き部（１０′）・（１０′）を結ぶ山折り線（７）に沿って山折りし、予め二つ折り線（６）に沿って山折りした個所を谷折りして上下部両基端部の帯状余白部（２）・（２）を重ね合わせ、谷折りした二つ折り線（６）の縁辺（６１）が帯状余白部（２）・（２）に届かない長さに設定し、複数のバインダー用パンチ穴（３）にバインダー（Ｂ）の開閉リング（Ｂ１）に切込み（４）を介して綴じて結束部（８）・（８）としたことを特徴とする暗記カード。
【請求項２】
縦長のカード用紙（１）の上下方向の一方の基端所定幅（ｗ１）・（ｗ２）で２個一対の帯状余白部（２）・（２′）を設け、当該帯状余白部の略中央に境界線（５）を設けると共に、その境界線（５）を挟んで対向する帯状余白部（２）・（２′）に複数のパンチ穴（３）を明け、その境界線（５）を挟んで対向するパンチ穴（３）・（３）同士を繋ぐ切込み（４）を設け、縦長のカード用紙（１）の他端辺には単一の帯状余白部（２）を設けた請求項１記載の暗記カード。
【請求項３】
縦長のカード用紙（１）の上下両方向の両基端に設定幅（ｗ１）・（ｗ２）で２個一対の帯状余白部（２）・（２′）を設け、当該帯状余白部（２）・（２′）の略中央に境界線（５）を設けると共に、その境界線（５）を挟んで対向する帯状余白部（２）・（２′）に複数のパンチ穴（３）を明け、その境界線（５）を挟んで対向するパンチ穴（３）・（３）同士を繋ぐ切込み（４）を設けた請求項１記載の暗記カード。
【請求項４】
横長のカード用紙（１）の左右方向の両基端に所定幅（ｗ１）の単一の帯状の余白部（２）・（２）を形成し、その帯状余白部に複数のバインダー用パンチ穴（３）を縦一列に明け、その各パンチ穴（３）とカード用紙（１）の左右の各縁辺（１１）に届く切込み（４）を設け、当該カード用紙（１）の表面又は表裏面に帯状の余白部（２）・（２）を除く左右方向に４つの記載面（Ｆ）を表示し、左端の１番目に問題（ｍl）を書き込むか又は予め表示してある第１の問題記載面（Ｆ1）と、その次位の２番目に解答（ｋl）を書き込むか又は予め表示してある第1の解答記載面（Ｆ２）と、その３番目に問題（ｍ２）を書き込むか又は予め表示してある第２の問題記載面（Ｆ３）と、その右端の４番目に解答（ｋ２）を書き込むか又は予め表示してある第２の解答記載面（Ｆ４）を、この順に表示して1セットとした暗記カード紙（Ｃ）とし、当該暗記カード紙（Ｃ）の横長方向の中間に垂直の二つ折り線（６）を表示すると共に第１の問題記載面（Ｆ１）と解答記載面（ｋ１）、及び第２の問題記載面（Ｆ３）と解答記載面（Ｆ４）の境界に山折り線（７）を表示し、二つ折り線（６）を山折りし、その山折りしてある二つ折り線（６）の部位を内側になるように谷折りして左右両基端部に設けた帯状の余白部（２）・（２）を重ね合わせ、谷折りした二つ折り線（６）の縁辺（６１）が帯状余白部（２）・（２）に届かない長さに設定し、複数のバインダー用パンチ穴（３）にバインダー（Ｂ）の開閉リング（Ｂ１）を通して結束部（８）・（８）としたことを特徴とする暗記カード。
【請求項５】
縦長のカード用紙（１）の上下方向の両基端に形成した単一の帯状余白部（２）の左右両側の隅角を斜めの切欠き部（１０）又は弧状部（１０″）に成形し、且つ二つ折り線（６）と山折り線（７）の延長線上の左右縁辺に切欠き部（１０′）を設けると共に、当該切欠き部の角部を円弧状に成形した請求項１記載の暗記カード。
【請求項６】
縦長のカード用紙（１）の上下方向の基端の一方に形成した余白部（２）・（２′）の略中央に設けた二つ折り線（５）の延長線上の左右縁辺に比較的大きいＶ字状の切欠き部（１０）又は小さいｖ字状の切欠き部（１０′）を設け、且つ他端辺に形成した単一の帯状余白部（２）の左右両側の隅角を斜めの切欠き部（１０）又は弧状部（１０″）に成形し、且つ二つ折り線（６）と山折り線（７）の延長線上の左右縁辺に切欠き部（１０′）を設けた請求項２記載の暗記カード。
【請求項７】
２枚一対の縦長のカード用紙（１）の上下方向の両基端に形成した帯状余白部（２）・（２′）の左右両側の境界線（５）の部位比較的大きな切欠き部（１０）を設け、且つ二つ折り線（６）と山折り線（７）の延長線上の左右縁辺に比較的小さい切欠き部（１０′）を設けた請求項３記載の暗記カード紙又は暗記カード。
【請求項８】
２枚一対の縦長のカード用紙（１）・（１）を長手方向に一体形成し、その２枚一対のカード用紙（１）・（１）同士の境界線（６０）を挟んで形成した帯状余白部（２）・（２）に対向してあけたパンチ穴（３）・（３）同士を繋ぐに切込み（４）を入れた請求項１記載の暗記カード。
【請求項９】
縦長のカード用紙（１）を長手方向に２枚一対（１）・（１）を一体に作成し、その２枚一対のカード用紙同士（１）・（１）の上下両基端の帯状余白部（２）・（２）に対向してあけたパンチ穴（３）・（３）同士を繋ぐに切込み（４）を入れた請求項１〜請求項８いずれか記載の暗記カード紙（Ｃ）をバインダーノート（Ｎ）に綴じた暗記カード。
【請求項１０】
縦長のカード用紙（１）の上下方向の両基端に設定幅（ｗ１）で単一の帯状余白部（２）・（２′）を形成し、その一方又は両方の帯状余白部に粘着紙テープ又はラミネート紙（１３）を貼着して補強した請求項１記載の暗記カード。
【手続補正２】
【補正対象書類名】明細書
【補正対象項目名】００１０
【補正方法】変更
【補正の内容】
【００１０】
特許文献２は、リファイル用紙の左右の端辺に沿って切り目付きのパンチ穴を開け、リング式のシステム手帳の金属製開閉リングが邪魔にならない位置で右利き又は左利きによって綴じる穴を使い分け、且つ綴じたリングを開くことなく脱着できるようにしたものである。しかしながら、このリファイル用紙は単に1枚の紙の脱着の仕方だけのものである。
【手続補正３】
【補正対象書類名】明細書
【補正対象項目名】００３２
【補正方法】変更
【補正の内容】
【００３２】
第１１に、暗記カード紙の余白部の一方又は両方に粘着テープ紙又はラミネートン紙を貼着したものにあっては、その余白部が丈夫になるから、コピー用紙のような比較的薄手のカード用紙であってもバインダーに着脱を繰り返しても切込みやパンチ穴が破損する度合いが少なくて済む。
【手続補正４】
【補正対象書類名】明細書
【補正対象項目名】００４５
【補正方法】変更
【補正の内容】
【００４５】
図１において、Ｌ′１とＬ′２はカード用紙１の全長Ｌの２分の１の長さ、Ｌ″１〜Ｌ″４はカード用紙１の全長から上下の帯状余白部２・２の幅ｗ１・ｗ１を除いた問題枠と解答枠の長さを示す。この場合、上位の問題枠Ｆ１の長さＬ″１と、次位の解答枠Ｆ２の長さＬ″２の長さを下位の問題枠Ｆ３の長さＬ″３と、次位の解答枠Ｆ４の長さＬ″４より少し短く設定しておくと折り畳んだときに上側の部分Ｌ′１が下側の部分Ｌ′２より少し短くなるため、上側の部分が取り出し易くなる。
【手続補正５】
【補正対象書類名】明細書
【補正対象項目名】００４６
【補正方法】変更
【補正の内容】
【００４６】
６は、カード紙Ｃの縦長方向の中間において水平に表示した二つ折り線であり、山折りする（図５図及び図６の山折り線６１）ことと、谷折りする（図７図及び図８の谷折り線６１）ことの二つの役割を有している。７は、山折り線であるが、図１〜図１０及び図３４図にあっては、第１の問題ｍ１と解答ｋ１の境界、及び第２の問題ｍ２と解答ｋ２の境界に仮想の鎖線を表示してあるが、実際には線はなく、山折りした折り線のみである。また、図１１〜図３３にあっては、第１の問題枠Ｆ１′と解答枠Ｆ２′の境界、及び第２の問題枠Ｆ３′と解答枠Ｆ４′の境界に実線で表示した山折り線である。
【手続補正６】
【補正対象書類名】明細書
【補正対象項目名】００７６
【補正方法】変更
【補正の内容】
【００７６】
１…カード用紙
１１…カード用紙の上下基端辺
２・２′…余白部
３…パンチ穴
４…線条の切込み
５…境界線
６…二つ折り線
６１…二つ折り線の端縁辺
７…山折り線
８…結束部
９…表紙
１０…円弧状切欠き部
１０′…比較的小さいｖ字形切欠き部
１０″…比較的小さいｖ字形切欠き部
１１…余白部における角部の円弧状切欠き部
１２…比較的大きいｖ字形切欠き部
１３…帯状余白部に貼着した粘着紙又はラミネート紙
６０…２連の縦長カード用紙の境界線
Ｂ…リング式バインダー
Ｂ１…バインダーリング
Ｃ…暗記カード紙
Ｆ…４つの記載面
Ｆ１、Ｆ３…問題記載面
Ｆ１′、Ｆ３′…問題枠
ｍ１、ｍ２…問題
Ｆ２、Ｆ４…解答記載面
Ｆ２′、Ｆ４′…解答枠
ｋ１、ｋ２…解答
Ｌ…縦長カード用紙の全長寸法
Ｌ′…カード用紙の２分の１の縦寸法
Ｌ″…カード用紙の問題枠と解答枠の縦寸法
Ｎ…バインダーノート
Ｗ…カード用紙の横幅寸法
ｗ１・ｗ２…余白部の幅寸法
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
縦長のカード用紙（１）の上下方向の両基端に設定幅（ｗ１）で単一の帯状余白部（２）を形成し、その帯状余白部に複数のバインダー用パンチ穴（３）を横一列に明け、その各パンチ穴（３）とカード用紙（１）の上下の各縁辺（１１）に届く切込み（４）を設け、当該カード用紙（１）の帯状余白部（２）・（２）を除く表裏面に問題（ｍ１）と解答（ｋ１）及び問題（ｍ２）と解答（ｋ２）を表示する記載面（Ｆ「Ｆ１〜Ｆ４」）とし、各記載面（Ｆ１〜Ｆ４）の境界を示す切欠き部（１０′）・（１０′）をカード用紙（１）の両縁辺に設け、最上段の１段目に問題（ｍ１）を書き込むか又は予め表示してある第１の問題記載面（Ｆ１）と、その次位の２段目に第１の解答（ｋ１）を書き込むか又は予め表示してある第１の解答記載面（Ｆ２）と、その３段目に第２の問題（ｍ２）を書き込むか又は予め表示してある第２の問題記載面（Ｆ３）と、その最下位の４段目に第２の解答（ｋ２）を書き込むか又は予め表示してある第２の解答記載面（Ｆ４）を、この順に表示して1セットとした暗記カード紙（Ｃ）とし、当該暗記カード紙（Ｃ）の縦長方向の中間の第１の解答記載面（Ｆ２）と第２の問題記載面（Ｆ３）との境界を示す切欠き部（１０′）・（１０′）に沿って二つ折り、すなわち山折りし、且つ第１の問題記載面（Ｆ１）と第１の解答記載面（Ｆ２）及び第２の問題記載面（Ｆ３）と第２の解答記載面（Ｆ４）の各境界を示す左右の切欠き部（１０′）・（１０′）を結ぶ山折り線（７）に沿って山折りし、予め二つ折り線（６）に沿って山折りした個所を谷折りして上下部両基端部の帯状余白部（２）・（２）を重ね合わせ、谷折りした二つ折り線（６）の縁辺（６１）が帯状余白部（２）・（２）に届かない長さに設定し、複数のバインダー用パンチ穴（３）にバインダー（Ｂ）の開閉リング（Ｂ１）に切込み（４）を介して綴じて結束部（８）・（８）としたことを特徴とする暗記カード。
【請求項２】
縦長のカード用紙（１）の上下方向の一方の基端所定幅（ｗ１）・（ｗ２）で２個一対の帯状余白部（２）・（２′）を設け、当該帯状余白部の略中央に境界線（５）を設けると共に、その境界線（５）を挟んで対向する帯状余白部（２）・（２′）に複数のパンチ穴（３）を明け、その境界線（５）を挟んで対向するパンチ穴（３）・（３）同士を繋ぐ切込み（４）を設け、縦長のカード用紙（１）の他端辺には単一の帯状余白部（２）を設けた請求項１記載の暗記カード。
【請求項３】
縦長のカード用紙（１）の上下両方向の両基端に設定幅（ｗ１）・（ｗ２）で２個一対の帯状余白部（２）・（２′）を設け、当該帯状余白部（２）・（２′）の略中央に境界線（５）を設けると共に、その境界線（５）を挟んで対向する帯状余白部（２）・（２′）に複数のパンチ穴（３）を明け、その境界線（５）を挟んで対向するパンチ穴（３）・（３）同士を繋ぐ切込み（４）を設けた請求項１記載の暗記カード。
【請求項４】
横長のカード用紙（１）の左右方向の両基端に所定幅（ｗ１）の単一の帯状の余白部（２）・（２）を形成し、その帯状余白部に複数のバインダー用パンチ穴（３）を縦一列に明け、その各パンチ穴（３）とカード用紙（１）の左右の各縁辺（１１）に届く切込み（４）を設け、当該カード用紙（１）の表面又は表裏面に帯状の余白部（２）・（２）を除く左右方向に４つの記載面（Ｆ）を表示し、左端の１番目に第１の問題（ｍ１）を書き込むか又は予め表示してある第１の問題記載面（Ｆ１）と、その次位の２番目に第１の解答（ｋ１）を書き込むか又は予め表示してある第1の解答記載面（Ｆ２）と、その３番目に第２の問題（ｍ２）を書き込むか又は予め表示してある第２の問題記載面（Ｆ３）と、その右端の４番目に第２の解答（ｋ２）を書き込むか又は予め表示してある第２の解答記載面（Ｆ４）を、この順に表示して1セットとした暗記カード紙（Ｃ）とし、当該暗記カード紙（Ｃ）の横長方向の中間に垂直の二つ折り線（６）を表示すると共に第１の問題記載面（Ｆ１）と第１の解答記載面（Ｆ２）、及び第２の問題記載面（Ｆ３）と第２の解答記載面（Ｆ４）の境界に山折り線（７）を表示し、二つ折り線（６）を山折りし、その山折りしてある二つ折り線（６）の部位を内側になるように谷折りして左右両基端部に設けた帯状の余白部（２）・（２）を重ね合わせ、谷折りした二つ折り線（６）の縁辺（６１）が帯状余白部（２）・（２）に届かない長さに設定し、複数のバインダー用パンチ穴（３）にバインダー（Ｂ）の開閉リング（Ｂ１）を通して結束部（８）・（８）としたことを特徴とする暗記カード。
【請求項５】
縦長のカード用紙（１）の上下方向の両基端に形成した単一の帯状余白部（２）の左右両側の隅角を斜めの切欠き部（１０）又は弧状部（１０″）に成形し、且つ二つ折り線（６）と山折り線（７）の延長線上の左右縁辺に切欠き部（１０′）を設けると共に、当該切欠き部の角部を円弧状に成形した請求項１記載の暗記カード。
【請求項６】
縦長のカード用紙（１）の上下方向の基端の一方に形成した余白部（２）・（２′）の略中央に設けた二つ折り線（５）の延長線上の左右縁辺に比較的大きいＶ字状の切欠き部（１０）又は小さいｖ字状の切欠き部（１０′）を設け、且つ他端辺に形成した単一の帯状余白部（２）の左右両側の隅角を斜めの切欠き部（１０）又は弧状部（１０″）に成形し、且つ二つ折り線（６）と山折り線（７）の延長線上の左右縁辺に切欠き部（１０′）を設けた請求項２記載の暗記カード。
【請求項７】
２枚一対の縦長のカード用紙（１）の上下方向の両基端に形成した帯状余白部（２）・（２′）の左右両側の境界線（５）の部位比較的大きな切欠き部（１０）を設け、且つ二つ折り線（６）と山折り線（７）の延長線上の左右縁辺に比較的小さい切欠き部（１０′）を設けた請求項３記載の暗記カード紙又は暗記カード。
【請求項８】
２枚一対の縦長のカード用紙（１）・（１）を長手方向に一体形成し、その２枚一対のカード用紙（１）・（１）同士の境界線（６０）を挟んで形成した帯状余白部（２）・（２）に対向してあけたパンチ穴（３）・（３）同士を繋ぐに切込み（４）を入れた請求項１記載の暗記カード。
【請求項９】
縦長のカード用紙（１）を長手方向に２枚一対（１）・（１）を一体に作成し、その２枚一対のカード用紙同士（１）・（１）の上下両基端の帯状余白部（２）・（２）に対向してあけたパンチ穴（３）・（３）同士を繋ぐに切込み（４）を入れた請求項１〜請求項８いずれか記載の暗記カード紙（Ｃ）をバインダーノート（Ｎ）に綴じた暗記カード。
【請求項１０】
縦長のカード用紙（１）の上下方向の両基端に設定幅（ｗ１）で単一の帯状余白部（２）・（２′）を形成し、その一方又は両方の帯状余白部に粘着紙テープ又はラミネート紙（１３）を貼着して補強した請求項１記載の暗記カード。
【手続補正２】
【補正対象書類名】図面
【補正対象項目名】図１
【補正方法】変更
【補正の内容】
【図１】
2020082530.tif 000041
【手続補正３】
【補正対象書類名】図面
【補正対象項目名】図１１
【補正方法】変更
【補正の内容】
【図１１】
2020082530.tif 000042
【手続補正４】
【補正対象書類名】図面
【補正対象項目名】図２１
【補正方法】変更
【補正の内容】
【図２１】
2020082530.tif 000043
【手続補正５】
【補正対象書類名】図面
【補正対象項目名】図３３
【補正方法】変更
【補正の内容】
【図３３】
2020082530.tif 000044
【手続補正６】
【補正対象書類名】図面
【補正対象項目名】図３４
【補正方法】変更
【補正の内容】
【図３４】
2020082530.tif 000045